【手続補正書】
【提出日】平成30年4月26日(2018.4.26)
【手続補正１】
【補正対象書類名】特許請求の範囲
【補正対象項目名】全文
【補正方法】変更
【補正の内容】
【特許請求の範囲】
【請求項１】
ポンプと、
該ポンプに回転可能に連結されたインペラブレードと、
体腔を通過するようにサイズ決めされており、かつ該ポンプに連結されている、ポンプハウジングコンポーネントであって、該インペラブレードの回転軸の周りに伸びている周壁を含み、該周壁が、
内面、
外面、ならびに
各排血用アパーチャが内縁部および外縁部によって画定されている、1つまたは複数の排血用アパーチャ
を有し、
各内縁部が、該内面と該外面との間で面取りされている、
ポンプハウジングコンポーネントと
を備える、血液ポンプアセンブリ。
【請求項２】
各内縁部が約45°の面取り部を含む、請求項1に記載の血液ポンプアセンブリ。
【請求項３】
各外縁部が前記内面と前記外面との間で丸み付けされている、請求項1または2に記載の血液ポンプアセンブリ。
【請求項４】
各丸み付け外縁部が、約40マイクロメートルまたは約40マイクロメートル超の半径を有する、請求項1〜3のいずれか一項に記載の血液ポンプアセンブリ。
【請求項５】
各丸み付け外縁部が、約105マイクロメートルまたは約105マイクロメートル超の半径を有する、請求項1〜4のいずれか一項に記載の血液ポンプアセンブリ。
【請求項６】
各外縁部の全体が丸み付けされている、請求項1〜5のいずれか一項に記載の血液ポンプアセンブリ。
【請求項７】
前記ポンプハウジングコンポーネントが電解研磨されている、請求項1〜6のいずれか一項に記載の血液ポンプアセンブリ。
【請求項８】
各内縁部が、第一の面取り角度を有する第一の面取り部分と、該第一の面取り角度より大きい第二の面取り角度を有する第二の面取り部分とを含む、請求項1〜7のいずれか一項に記載の血液ポンプアセンブリ。
【請求項９】
前記ポンプハウジングコンポーネントが、第一の端部において前記ポンプに連結されており、かつ、該ポンプハウジングコンポーネントが、該第一の端部と反対側の第二の端部においてカニューレコンポーネントに連結されている、請求項1〜8のいずれか一項に記載の血液ポンプアセンブリ。
【請求項１０】
前記カニューレコンポーネントが血液インレットマニホールドを含む、請求項1〜9のいずれか一項に記載の血液ポンプアセンブリ。
【請求項１１】
前記血液インレットマニホールドに連結されたピグテール延長部をさらに備える、請求項1〜10のいずれか一項に記載の血液ポンプアセンブリ。
【請求項１２】
前記ポンプハウジングコンポーネントが、
複数の支柱の各々が、第一の内縁部および第二の内縁部ならびに第一の外縁部および第二の外縁部を有し、該第一の内縁部および該第二の外縁部が、周壁内面と周壁外面との間で面取りされており、該第一の内縁部と該第二の外縁部とが隣接していない、該複数の支柱、ならびに
1つまたは複数の排血用アパーチャの各々が、該複数の支柱の対の間に配置されている、該1つまたは複数の排血用アパーチャ
をさらに含む、請求項1〜11のいずれか一項に記載の血液ポンプアセンブリ。
【請求項１３】
前記インペラブレードを前記ポンプに回転可能に連結する段階；
該ポンプを前記ポンプハウジングコンポーネントに連結する段階；ならびに
前記複数の排血用アパーチャを前記周壁に形成する段階であって、各排血用アパーチャの内縁部が、丸み付け縁部分および面取り縁部分のうち1つを含む、段階
を含む、請求項1〜12のいずれか一項に記載の血液ポンプアセンブリを製造する方法。
【請求項１４】
前記複数の排血用アパーチャを形成する段階が、
タンブリング加工、
ローリング加工、および
直角の縁部を除去すること
のうちの1つによって前記外縁部を形成することを含む、請求項13に記載の血液ポンプアセンブリを製造する方法。
【請求項１５】
前記ポンプハウジングコンポーネントを、該ポンプハウジングコンポーネントの第一の端部において前記ポンプに連結する段階； 
カニューレコンポーネントを、該第一の端部と反対側の、該ポンプハウジングコンポーネントの第二の端部に連結する段階；および
ピグテール延長部をカニューレの遠位端に連結する段階
をさらに含む、請求項13または14に記載の血液ポンプアセンブリを製造する方法。
【手続補正２】
【補正対象書類名】明細書
【補正対象項目名】００１４
【補正方法】変更
【補正の内容】
【００１４】
当業者には、本開示の検討後にバリエーションおよび修正が想起されるであろう。開示されている特徴は、本明細書に説明されている1つまたは複数の他の特徴とともに、任意の組み合わせおよび下位の組み合わせ（複数の従属的な組み合わせおよび下位の組み合わせを含む）において実施されてもよい。以上に説明または例示されている種々の特徴は、それらの任意の構成要素も含めて、他のシステムに組み合わされるかまたは統合されてもよい。さらに、特定の特徴は省略されてもよく、または実施されなくてもよい。
[本発明1001]
ポンプと、
該ポンプに回転可能に連結されたインペラブレードと、
体腔を通過するようにサイズ決めされており、かつ該ポンプに連結されている、ポンプハウジングコンポーネントであって、該インペラブレードの回転軸の周りに伸びている周壁を含み、該周壁が、
内面、
外面、ならびに
各排血用アパーチャが内縁部および外縁部によって画定されている、1つまたは複数の排血用アパーチャ
を有し、
各内縁部が、該内面と該外面との間で面取りされている、
ポンプハウジングコンポーネントと
を備える、血液ポンプアセンブリ。
[本発明1002]
各内縁部が約45°の面取り部を含む、本発明1001の血液ポンプアセンブリ。
[本発明1003]
各外縁部が前記内面と前記外面との間で丸み付けされている、本発明1001または1002の血液ポンプアセンブリ。
[本発明1004]
各丸み付け外縁部が、約40マイクロメートルまたは約40マイクロメートル超の半径を有する、本発明1001〜1003のいずれかの血液ポンプアセンブリ。
[本発明1005]
各丸み付け外縁部が、約105マイクロメートルまたは約105マイクロメートル超の半径を有する、本発明1001〜1004のいずれかの血液ポンプアセンブリ。
[本発明1006]
各外縁部の全体が丸み付けされている、本発明1001〜1005のいずれかの血液ポンプアセンブリ。
[本発明1007]
前記ポンプハウジングコンポーネントが電解研磨されている、本発明1001〜1006のいずれかの血液ポンプアセンブリ。
[本発明1008]
各内縁部が、第一の面取り角度を有する第一の面取り部分と、該第一の面取り角度より大きい第二の面取り角度を有する第二の面取り部分とを含む、本発明1001〜1007のいずれかの血液ポンプアセンブリ。
[本発明1009]
前記インペラブレードが、少なくとも部分的に前記ポンプハウジングコンポーネント内に位置決めされている、本発明1001〜1008のいずれかの血液ポンプアセンブリ。
[本発明1010]
前記ポンプハウジングコンポーネントが、第一の端部において前記ポンプに連結されており、かつ、該ポンプハウジングコンポーネントが、該第一の端部と反対側の第二の端部においてカニューレコンポーネントに連結されている、本発明1001〜1009のいずれかの血液ポンプアセンブリ。
[本発明1011]
前記カニューレコンポーネントが血液インレットマニホールドを含む、本発明1001〜1010のいずれかの血液ポンプアセンブリ。
[本発明1012]
前記血液インレットマニホールドに連結されたピグテール延長部をさらに備える、本発明1001〜1011のいずれかの血液ポンプアセンブリ。
[本発明1013]
ポンプと、
該ポンプに回転可能に連結されたインペラブレードと、
体腔を通過するようにサイズ決めされており、かつ該ポンプに連結されている、ポンプハウジングコンポーネントであって、該インペラブレードの回転軸の周りに伸びている周壁を含み、該周壁が、
内面、
外面、
複数の支柱の各々が、第一の内縁部および第二の内縁部ならびに第一の外縁部および第二の外縁部を有し、該第一の内縁部および該第二の外縁部が、周壁内面と周壁外面との間で面取りされており、かつ、該第一の内縁部と該第二の外縁部とが隣接していない、該複数の支柱、ならびに
1つまたは複数の排血用アパーチャの各々が、該複数の支柱の対の間に配置されている、該1つまたは複数の排血用アパーチャ
を含む、
ポンプハウジングコンポーネントと
を備える、血液ポンプアセンブリ。
[本発明1014]
前記複数の支柱の各第一の内縁部および各第二の外縁部が約45°の面取り角度を有する、本発明1013の血液ポンプアセンブリ。
[本発明1015]
前記ポンプハウジングコンポーネントが電解研磨されている、本発明1013または1014の血液ポンプアセンブリ。
[本発明1016]
前記インペラブレードが、少なくとも部分的に前記ポンプハウジングコンポーネント内に位置決めされている、本発明1013〜1015のいずれかの血液ポンプアセンブリ。
[本発明1017]
前記ポンプハウジングコンポーネントが、第一の端部において前記ポンプに連結されており、かつ、該ポンプハウジングコンポーネントが、該第一の端部と反対側の第二の端部においてカニューレコンポーネントに連結されている、本発明1013〜1016のいずれかの血液ポンプアセンブリ。
[本発明1018]
前記カニューレコンポーネントが血液インレットマニホールドを含む、本発明1013〜1017のいずれかの血液ポンプアセンブリ。
[本発明1019]
前記血液インレットマニホールドに連結されたピグテール延長部をさらに備える、本発明1013〜1018のいずれかの血液ポンプアセンブリ。
[本発明1020]
インペラブレードをポンプに回転可能に連結する段階；
該ポンプをポンプハウジングコンポーネントに連結する段階であって、該ポンプハウジングコンポーネントが、該インペラブレードの回転軸の周りに伸びている周壁を含み、該周壁が、内面と、該インペラの該回転軸に対して放射方向で該内面の外側に位置する外面とを含む、段階；ならびに
複数の排血用アパーチャを該周壁に形成する段階であって、該複数の排血用アパーチャの各排血用アパーチャが内縁部および外縁部によって画定され、該内縁部が、丸み付け縁部分および面取り縁部分のうち1つを含む、段階
を含む、血液ポンプアセンブリを製造する方法。
[本発明1021]
前記ポンプを前記ポンプハウジングコンポーネントに連結する段階が、該ポンプに回転可能に連結された前記インペラブレードを、少なくとも部分的に該ポンプハウジングコンポーネント内に位置決めすることを含む、本発明1020の血液ポンプアセンブリを製造する方法。
[本発明1022]
前記複数の排血用アパーチャを形成する段階が、タンブリング加工によって前記外縁部を形成することを含む、本発明1020または1021の血液ポンプアセンブリを製造する方法。
[本発明1023]
前記複数の排血用アパーチャを形成する段階が、ローリング加工によって前記外縁部を形成することを含む、本発明1020〜1022のいずれかの血液ポンプアセンブリを製造する方法。
[本発明1024]
前記複数の排血用アパーチャを形成する段階が、直角の縁部を除去することによって前記外縁部を形成することを含む、本発明1020〜1023のいずれかの血液ポンプアセンブリを製造する方法。
[本発明1025]
前記複数の排血用アパーチャを形成する段階が、前記内面と前記外面との間で前記外縁部の全体を丸み付けすることを含む、本発明1020〜1024のいずれかの血液ポンプアセンブリを製造する方法。
[本発明1026]
前記ポンプハウジングコンポーネントが、該ポンプハウジングコンポーネントの第一の端部において前記ポンプに連結されており、かつ、前記方法が、カニューレコンポーネントを、該第一の端部と反対側の、該ポンプハウジングコンポーネントの第二の端部に連結する段階をさらに含む、本発明1020〜1025のいずれかの血液ポンプアセンブリを製造する方法。
[本発明1027]
前記カニューレコンポーネントが血液インレットマニホールドを含む、本発明1020〜1026のいずれかの血液ポンプアセンブリを製造する方法。
[本発明1028]
ピグテール延長部を前記血液インレットマニホールドに連結する段階をさらに含む、本発明1020〜1027のいずれかの血液ポンプアセンブリを製造する方法。
[本発明1029]
前記ポンプハウジングコンポーネントを電解研磨する段階をさらに含む、本発明1020〜1028のいずれかの血液ポンプアセンブリを製造する方法。
[本発明1030]
ポンプハウジングコンポーネントによって血液ポンプアセンブリのカニューレ部分に連結されたポンプモーターを用いて血液インレットマニホールドにおいて該カニューレ部分に血液を引き入れるため、回転軸の周りでインペラを回転させる段階であって、該ポンプハウジングコンポーネントが、インペラブレードの該回転軸の周りに伸びている周壁を含み、該周壁が、周壁内面と、該回転軸に対して放射方向で該周壁内面の外側に位置する周壁外面とを含む、段階；ならびに
該周壁の複数の排血用アパーチャを介して該血液ポンプアセンブリから血液を駆出する段階であって、該複数の排血用アパーチャの各排血用アパーチャが、アパーチャ内縁部およびアパーチャ外縁部によって画定され、該アパーチャ内縁部が、該周壁内面と該周壁外面との間で面取りされた面取り縁部分を含む、段階
を含む、血液ポンプアセンブリを作動させる方法。
[本発明1031]
前記インペラブレードが、少なくとも部分的に前記ポンプハウジングコンポーネント内に位置決めされている、本発明1030の血液ポンプアセンブリを作動させる方法。
[本発明1032]
前記血液インレットマニホールドが複数のインレット開口部を含む、本発明1030または1031の血液ポンプアセンブリを作動させる方法。
[本発明1033]
ピグテール延長部を前記血液インレットマニホールドに連結する段階をさらに含む、本発明1030〜1032のいずれかの血液ポンプアセンブリを作動させる方法。